(57)【要約】【課題】目に入射する光量を容易に調節可能なゴーグルを提供する。【解決手段】ゴーグル１は、レンズ部１３と、これを保持するフレーム１１とを備え、レンズ部１３には、第１調光部材２１と、これに対向する第２調光部材３１とが設けられ、第１調光部材２１は、所定の方向の透過軸を備える第１偏光層２３と、透過光に所定の位相差を付与する第１位相差層２４とを備え、第２調光部材３１は、第１偏光層２３の透過軸とは交差する方向に透過軸を備える第２偏光層３３と、透過光に所定の位相差を付与する第２位相差層３４とを備え、第１調光部材２１、第２調光部材３１の少なくともが相対的にスライドされることにより、光量が調整可能である。【選択図】図１
2019133035.tif 000002
【特許請求の範囲】
【請求項１】
レンズ部と、前記レンズ部を保持するフレームとを備えるゴーグルであって、
前記レンズ部には、第１調光部材と、前記第１調光部材に対向する第２調光部材とが設けられ、
前記第１調光部材は、所定の方向の透過軸を備える第１偏光層と、透過光に所定の位相差を付与する第１位相差層とを備え、
前記第２調光部材は、前記第１偏光層の透過軸とは交差する方向に透過軸を備える第２偏光層と、透過光に所定の位相差を付与する第２位相差層とを備え、
前記第１調光部材、前記第２調光部材の少なくとも一方が相対的にスライドされることにより、光量が調整可能であること、
を特徴とするゴーグル。
【請求項２】
請求項１に記載のゴーグルにおいて、
前記第１位相差層及び前記第２位相差層は、前記第１偏光層と前記第２偏光層との間に位置すること、
を特徴とするゴーグル。
【請求項３】
請求項１又は請求項２に記載のゴーグルにおいて、
前記第１偏光層、前記第２偏光層のうち、光の入射側に位置する偏光層は、Ｓ波を吸収する機能を有すること、
を特徴とするゴーグル。
【請求項４】
請求項１から請求項３までのいずれか１項に記載のゴーグルにおいて、
前記第１調光部材、前記第２調光部材のうち少なくとも一方は、ハードコート機能、紫外線遮蔽機能、防水機能、撥水機能の少なくともいずれかの機能を有する保護層を有すること、
を特徴とするゴーグル。
【請求項５】
請求項１から請求項４までのいずれか１項に記載のゴーグルにおいて、
前記レンズ部を透過する光量が最大となる明状態から前記光量が最小となる暗状態まで光量を調整する場合に、前記第１調光部材、前記第２調光部材の少なくとも一方がスライド可能なスライド量は、１５ｍｍ以下であること、
を特徴とするゴーグル。
【請求項６】
請求項１から請求項５までのいずれか１項に記載のゴーグルにおいて、
前記第１調光部材、前記第２調光部材の少なくとも一方が前記フレームに対して着脱可能であること、
を特徴とするゴーグル。
【請求項７】
請求項１から請求項６までのいずれか１項に記載のゴーグルにおいて、
前記第１調光部材と、前記第２調光部材と、前記フレームとを備える調光機能部が、ゴーグル本体に着脱可能に設けられていること、
を特徴とするゴーグル。
【請求項８】
請求項１から請求項５までのいずれか１項に記載のゴーグルにおいて、
前記第１調光部材、前記第２調光部材のうち一方は、ゴーグル本体のレンズに貼合され、他方は、一方に対して密着層を介して相対的にスライド可能に密着されていること、
を特徴とするゴーグル。
【請求項９】
ゴーグル本体に着脱可能であり、
レンズ部と、前記レンズ部を保持するフレームとを備え、
前記レンズ部には、第１調光部材と、前記第１調光部材に対向する第２調光部材とが設けられ、
前記第１調光部材、前記第２調光部材の少なくとも一方がスライドされることにより、光量が調整可能であること、
を特徴とする調光ユニット。
【請求項１０】
請求項９に記載の調光ユニットであって、
前記第１調光部材、前記第２調光部材の少なくとも一方が前記フレームに対して着脱可能であること、
を特徴とする調光ユニット。
【請求項１１】
第１調光部材と、前記第１調光部材に対向する第２調光部材とを備える調光ユニットであって、
前記第１調光部材、前記第２調光部材の少なくとも一方がスライドされることにより、光量が調整可能であり、
前記第１調光部材、前記第２調光部材のうち一方は、ゴーグル本体のレンズに貼合可能であり、他方は、一方に対して密着層を介して相対的にスライド可能に密着されること、
を特徴とする調光ユニット。
【発明の詳細な説明】
【技術分野】
【０００１】
本発明は、目に入射する光量調節が可能なゴーグル、調光ユニットに関するものである。
【背景技術】
【０００２】
従来、スキーやスノーボード等のスポーツ時において、目に入射する光量を調整する目的で、サングラスやゴーグル等が使用されている。このサングラスやゴーグル等は、偏光板を備えたものが一般的であり、偏光板により、光量を一定量抑えることは可能であるが、光量を所望の量に自在に調整することは不可能であった。
【０００３】
このような課題を解決するために、例えば、特許文献１に示すように、偏光板を対向させて２枚配置し、一方を回転させることで、目に入射する光量を調整可能とした眼鏡等も開発されている。
【先行技術文献】
【特許文献】
【０００４】
【特許文献１】特開平９−１５５４２号公報
【発明の概要】
【発明が解決しようとする課題】
【０００５】
しかし、上述のような眼鏡では、光量を調節するために、一方の偏光板を回転させる必要があり、偏光板の操作量（回転量）が大きかったり、回転の為の構造が複雑となったりするという問題があった。また、ゴーグルにおいては、その構造上、偏光板を回転させることは困難であった。
【０００６】
本発明の課題は、目に入射する光量を容易に調節可能なゴーグルを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、レンズ部（１３）と、前記レンズ部を保持するフレーム（１１）とを備えるゴーグルであって、前記レンズ部には、第１調光部材（２１）と、前記第１調光部材に対向する第２調光部材（３１）とが設けられ、前記第１調光部材は、所定の方向の透過軸を備える第１偏光層（２３）と、透過光に所定の位相差を付与する第１位相差層（２４）とを備え、前記第２調光部材は、前記第１偏光層の透過軸とは交差する方向に透過軸を備える第２偏光層（３３）と、透過光に所定の位相差を付与する第２位相差層（３４）とを備え、前記第１調光部材、前記第２調光部材の少なくとも一方が相対的にスライドされることにより、光量が調整可能であること、を特徴とするゴーグル（１，２，３，４）である。
第２の発明は、第１の発明のゴーグルにおいて、前記第１位相差層（２４）及び前記第２位相差層（３４）は、前記第１偏光層（２３）と前記第２偏光層（３４）との間に位置すること、を特徴とするゴーグル（１，２，３，４）である。
第３の発明は、第１の発明又は第２の発明のゴーグルにおいて、前記第１偏光層（２３）、前記第２偏光層（３３）のうち、光の入射側に位置する偏光層は、Ｓ波を吸収する機能を有すること、を特徴とするゴーグル（１，２，３，４）である。
第４の発明は、第１の発明から第３の発明までのいずれかのゴーグルにおいて、前記第１調光部材（２１）、前記第２調光部材（３１）のうち少なくとも一方は、ハードコート機能、紫外線遮蔽機能、防水機能、撥水機能の少なくともいずれかの機能を有する保護層を有すること、を特徴とするゴーグル（１，２，３，４）である。
第５の発明は、第１の発明から第４の発明までのいずれかのゴーグルにおいて、前記レンズ部（１３）を透過する光量が最大となる明状態から前記光量が最小となる暗状態まで光量を調整する場合に、前記第１調光部材、前記第２調光部材の少なくとも一方がスライド可能なスライド量（Ｄ）は、１５ｍｍ以下であること、を特徴とするゴーグル（１，２，３，４）である。
第６の発明は、第１の発明から第５の発明までのいずれかのゴーグルにおいて、前記第１調光部材（２１）、前記第２調光部材（３１）の少なくとも一方が前記フレーム（１１）に対して着脱可能であること、を特徴とするゴーグル（２，３，４）である。
第７の発明は、第１の発明から第６の発明までのいずれかのゴーグルにおいて、前記第１調光部材（２１）と、前記第２調光部材（３１）と、前記フレーム（１１）とを備える調光機能部（２００）が、ゴーグル本体（１００）に着脱可能に設けられていること、を特徴とするゴーグル（３）である。
第８の発明は、第１の発明から第５の発明までのいずれかのゴーグルにおいて、前記第１調光部材（２１）、前記第２調光部材（３１）のうち一方は、ゴーグル本体のレンズ（４００）に貼合され、他方は、一方に対して密着層（４０２）を介して相対的にスライド可能に密着されていること、を特徴とするゴーグル（４）である。
第９の発明は、ゴーグル本体（１００）に着脱可能であり、レンズ部（１３）と、前記レンズ部を保持するフレーム（１１）とを備え、前記レンズ部には、第１調光部材（２１）と、前記第１調光部材に対向する第２調光部材（３１）とが設けられ、前記第１調光部材、前記第２調光部材の少なくとも一方がスライドされることにより、光量が調整可能であること、を特徴とする調光ユニット（２００）である。
第１０の発明は、第９の発明の調光ユニットであって、前記第１調光部材（２１）、前記第２調光部材（３１）の少なくとも一方が前記フレーム（１１）に対して着脱可能であること、を特徴とする調光ユニット（２００）である。
第１１の発明は、第１調光部材（２１）と、前記第１調光部材に対向する第２調光部材（３１）とを備える調光ユニットであって、前記第１調光部材、前記第２調光部材の少なくとも一方がスライドされることにより、光量が調整可能であり、前記第１調光部材、前記第２調光部材のうち一方は、ゴーグル本体のレンズ（４００）に貼合可能であり、他方は、一方に対して密着層（４０２）を介して相対的にスライド可能に密着されること、を特徴とする調光ユニット（４２０）である。
【発明の効果】
【０００８】
本発明によれば、目に入射する光量を容易に調節可能なゴーグルを提供することができる。
【図面の簡単な説明】
【０００９】
【図１】第１実施形態のゴーグル１を説明する図である。
【図２】第１実施形態のゴーグル１のフレーム１１及びレンズ部１３の断面図である。
【図３】第１調光部材２１と第２調光部材３１との分解斜視図である。
【図４】第１位相差層２４、第２位相差層３４の調光領域Ａ、領域Ｂを説明する図である。
【図５】暗状態、明状態におけるゴーグル１における光の透過状態を示す図である。
【図６】第２実施形態のゴーグル２を説明する図である。
【図７】第３実施形態のゴーグル３を説明する図である。
【図８】第４実施形態のゴーグル４を説明する図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１１】
本明細書中に記載する各部材の材料名等は、実施形態としての一例であり、これに限定されるものではなく、適宜選択して使用してよい。
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
【００１２】
（第１実施形態）
図１は、第１実施形態のゴーグル１を説明する図である。
図２は、第１実施形態のゴーグル１のフレーム１１及びレンズ部１３の断面図である。図２では、フレーム１１及びレンズ部１３の上下方向（後述するＹ方向）及び前後方向（後述するＺ方向）に平行な断面を模式的に示している。
以下の説明において、理解を容易にするために、図１等に示すように、着用時のゴーグル１の左右方向をＸ方向、上下方向をＹ方向、前後方向をＺ方向とする。着用者にとって、左右方向において右側をＸ１側、左側をＸ２側とし、上下方向において上側をＹ１側、下側をＹ２側、前後方向において前方側（外界側）をＺ２側とし、後方側（着用者の眼側）をＺ１側とする。
【００１３】
ゴーグル１は、フレーム１１と、フレーム１１が少なくともその周縁部の一部を保持するレンズ部１３と、フレーム１１から着用者の顔側へ突出した当接部１２と、フレーム１１に連接されたバンド１４とを備えている。
フレーム１１は、レンズ部１３を保持する部材であり、レンズ部１３の保持に十分な剛性を有する樹脂製等である。フレーム１１の内周面側には、溝１１ａ，１１ｂが設けられ、この溝１１ａ，１１ｂ内にレンズ部１３の周縁部が挿入され、保持されている。
フレーム１１の上側（Ｙ１側）の端面の一部等には、着用者の汗等による水分を排出するための不図示の通気口等が設けられている。また、フレーム１１の左右両端部には、バンド１４が挿入される開口状の連結部１１ｄが設けられている。
さらに、フレーム１１の上側（Ｙ１側）の端面には、スライド孔１６が設けられ、後述する凸部１３３がスライド孔１６から突出している。本実施形態では、スライド孔１６は、着用者の左目側（Ｘ２側）に左右方向（Ｘ方向）を長手方向とする長円形状に設けられている例を示す。なお、これに限らず、スライド孔１６及び凸部１３３は、右目側（Ｘ１側）に設けられていてもよいし、スライド孔１６の形状も矩形形状等、適宜選択してよい。
【００１４】
当接部１２は、フレーム１１から後方（Ｚ１側、着用者側）に突出した部位であり、約用事に着用者の顔面に当接する部分である。着用者の顔面に当接する当接面等には、スポンジ等の弾性を有する部材を用いてゴーグルと顔面との密着性を高めてもよい。
【００１５】
レンズ部１３は、第１レンズ１３１、第１調光部材２１、第２調光部材３１、第２レンズ１３２を備えている。
第１レンズ１３１及び第２レンズ１３２は、前後方向（Ｚ方向）に対向して位置している。本実施形態では、第１レンズ１３１は前方側（Ｚ２側）に位置し、第２レンズ１３２は、後方側（Ｚ１側）に位置している。第１レンズ１３１は、フレーム１１に保持され、その位置が固定されている。また、第２レンズ１３２は、溝１１ｂに沿って左右方向（Ｘ方向）にスライド可能（移動可能、摺動可能）に保持されている。
第１レンズ１３１と第２レンズ１３２との間には、Ｚ方向に所定の空間Ｋが設けられている。この空間Ｋを設けることにより、ゴーグル内の結露を防止している。
第１レンズ１３１及び第２レンズ１３２は、透光性を有する樹脂製やガラス製の材料により形成された板状の部材である。第１レンズ１３１は、例えば、その前方側の面等に、紫外線を吸収又は反射することにより遮蔽する紫外線遮蔽層や、防水機能、撥水機能層等を備えていてもよい。
【００１６】
また、この空間Ｋは、フレーム１１及び第１レンズ１３１，第２レンズ１３２によって密閉された空間となっており、空間Ｋ内には、第１レンズ１３１に一体に積層された第１調光部材２１と、第１調光部材２１に対向し、第２レンズ１３２側に一体に積層された第２調光部材３１とが位置している。第１調光部材２１及び第２調光部材３１を空間Ｋに配置することにより、後述の各偏光層や各位相差層への水分や埃等の異物の侵入を防ぎ、各層の劣化を抑制することができる。
【００１７】
第１調光部材２１は、光透過性を有する接着剤や粘着剤等により第１レンズ１３１の後方側（Ｚ１側）の面に一体に接合されて積層されており、その位置は固定されている。なお、これに限らず、第１調光部材２１は、第１レンズ１３１とは接合されておらず、フレーム１１によって、その位置が固定されて保持されていてもよい。
この第１調光部材２１は、その平面視が第１レンズ１３１と同一の形状である。
【００１８】
第２調光部材３１は、第１調光部材２１よりも着用者側（Ｚ１側）となる位置に設けられ、光透過性を有する接着剤や粘着剤等により第２レンズ１３２の前方側（Ｚ２側）の面に一体に接合されて積層されている。したがって、第２調光部材３１は、第２レンズ１３２と一体になって、溝１１ｂに沿って左右方向にスライド可能となっている。この第２調光部材３１は、その平面視が第２レンズ１３２と同一の形状である。
なお、これに限らず、第２調光部材３１は、第２レンズ１３２とは接合されておらず、第２レンズ１３２はその位置が固定されて保持され、第２調光部材３１のみが左右方向（Ｘ方向）にスライド可能にフレーム１１に保持される形態としてもよい。また、本実施形態では、第１調光部材２１よりも後方側（Ｚ１側）に位置する第２調光部材３１がスライド可能である例を示したが、これに限らず、前方側（Ｚ２側）に位置する第１調光部材２１がスライド可能である形態としてもよい。
【００１９】
図２に示すように、フレーム１１の溝１１ａと溝１１ｂとの間には、第１調光部材２１と第２調光部材３１との間の距離を一定に保ち、両者の接触による擦れ等を防ぐ凸状の仕切り部１１ｃが設けられている。
また、第２レンズ１３２の上側端面には、スライド操作用の凸部１３３を備えている。この凸部１３３は、第２レンズ１３２に設けられ、上側（Ｙ１側）へ凸となっており、フレーム１１のスライド孔１６から一部が上側（Ｙ１側）へ突出している。本実施形態では、凸部１３３は、円柱状である例を示したが、その形状等は、操作性等を考慮して適宜選択してよい。
着用者は、このスライド孔１６から突出した凸部１３３の一部を指等で左右方向に動かすことにより、第２調光部材３１及び第２レンズ１３２を左右方向（Ｘ方向）にスライド可能であり、所望の位置で停止可能である。なお、第２調光部材３１のみがスライド可能である場合には、この凸部１３３は、第２調光部材３１の上側端部に設ければよい。
【００２０】
第２調光部材３１及び第２レンズ１３２の上側（Ｙ１側）及び下側（Ｙ２側）の端部（辺）には、スライダ１３７が貼り付けられている。
スライダ１３７は、第２調光部材３１及び第２レンズ１３２と、これらを保持する溝１１ｂとが接触する部分の滑りやすさを調整するための部材である。また、スライダ１３７は、第２調光部材３１及び第２レンズ１３２が、振動等により不用意に移動して調光状態が変化することを抑制するために、第２調光部材３１及び第２レンズ１３２と溝１１ｂとの間に適度な摩擦力を付与する機能を有する。さらに、スライダ１３７は、第２調光部材３１及び第２レンズ１３２の上下端部保護し、左右方向の摺動（スライド）による傷の発生を抑制する機能を有する。
なお、これに限らず、フレーム１１が薄く、溝１１ｂの大きさが小さい場合や、第２調光部材３１の上下端部の保護が不要な場合等は、スライダ１３７を設けない形態としてもよい。
【００２１】
本実施形態では、ゴーグル１は、第１レンズ１３１及び第２レンズ１３２の２枚のレンズを備える例を示したが、これに限らず、例えば、第１レンズ１３１のみを備える形態としてもよい。
なお、レンズを第１調光部材２１と第２調光部材３１との間に配置すると、光量調節の精度が低下する恐れがあるため、第１調光部材２１と第２調光部材３１とを近接させて配置することが好ましい。
【００２２】
本実施形態のゴーグル１は、上述のように、着用者が凸部１３３を摘まむ等して、第２調光部材３１（及び第２レンズ１３２）を左右方向（Ｘ方向）に所望の量だけスライド（移動）させて、第１調光部材２１との重なり合う部位（第１調光部材２１と第２調光部材３１との相対位置）を変化させることにより、光の入射光量を調節できるという機能を有する。
【００２３】
以下、第１調光部材２１及び第２調光部材３１の詳細について説明する。
図３は、第１調光部材２１と第２調光部材３１との分解斜視図である。
第１調光部材２１は、前方側（Ｚ２側）から順に、第１透明基材２２、第１偏光層２３、第１位相差層２４を備え、これらが一体に積層されている。なお、第１位相差層２４の後方側（Ｚ１側）の表面に、第１位相差層２４を保護する不図示の保護層として、ハードコート機能や防水機能等を有する不図示の保護層を設けてもよい。
第１透明基材２２は、透明なシート状の部材であり、アクリル、ポリカーボネート（ＰＣ）等の樹脂やガラスにより形成されている。なお、この第１透明基材２２及び後述する第２透明基材３２は、異方性を有しないことが好ましい。
【００２４】
第１偏光層２３は、直線偏光板として機能する光学機能層であり、透過軸に平行な直線偏光成分を高い透過率で透過し、透過軸に直交する直線偏光成分を吸収又は反射する機能を有する。第１偏光層２３は、例えば、ポリビニルアルコール（ＰＶＡ）によるフィルム材に、ヨウ素化合物分子を吸着配向させることにより作製される。
なお、第１調光部材２１は、上記第１偏光層２３を備えていればよく、例えば、トリアセチルセルロース（ＴＡＣ）等による透明な基材により第１偏光層２３を挟持した第１直線偏光板２３Ａを備える形態としてもよい。このとき、第１直線偏光板２３Ａは、第１透明基材２２の後方側（Ｚ１側）の面に光硬化性樹脂等の接着剤層により接合して積層してもよい。
また、第１調光部材２１は、上述のＴＡＣ等の透明な基材を省略して、第１偏光層２３のみを第１透明基材２２の後方側（Ｚ１側）に配置してもよい。
【００２５】
第１偏光層２３は、物体からの反射光に多く含まれＳ波を吸収するように、その透過軸を配置することが好ましい。なお、第１偏光層２３の透過軸の向きは、これに限定されず、使用環境等に応じて、適宜選択してよい。図４中には、第１偏光層２３及び後述の第２偏光層３３の透過軸を矢印で模式的に示している。
また、第１偏光層２３（第１直線偏光板２３Ａ）としては、上記の例に限らず、例えば、ワイヤーグリッド型の直線偏光板、塗工型の直線偏光板等、種々の構成を適用できる。
【００２６】
第１位相差層２４は、第１偏光層２３に積層され、透過光に所定の位相差を付与する層である。
第１位相差層２４は、ＴＡＣ等による透明フィルム材にパターンニング等により配向層を作製し、この配向層の配向規制力により液晶材料を配向させた状態で硬化させることにより形成される。このＴＡＣ等による透明フィルム材に第１位相差層２４が形成された状態のものを第１位相差フィルム２４Ａという。
第１調光部材２１は、第１位相差層２４を備えていればよく、第１位相差フィルム２４Ａを光硬化性樹脂等の接着剤層により第１偏光層２３に貼合して積層してもよいし、第１位相差フィルム２４Ａを、第１偏光層２３に積層した後、ＴＡＣ等による透明フィルム材を剥離して取り除き、第１位相差層２４のみを第１偏光層２３に積層してもよい。
第１位相差層２４は、複数の調光領域Ａを備えている。この調光領域Ａについては詳細を後述する。
【００２７】
なお、配向層は、ラビング処理により作製してもよく、光配向層を適用してもよく、賦型処理によりライン状凹凸形状を成形することにより作製してもよい。
第１位相差層２４は、透過光に１／４波長ないし１／２波長の位相差を付与する位相差層である。なお、第１位相差層２４は、実用上十分な範囲で上記波長とは異なる位相差を付与するように、その厚みを調整してもよい。
【００２８】
第２調光部材３１は、第１調光部材２１と略同様の構成を備えているが、前後方向（Ｚ方向）における各層の位置が異なる。第２調光部材３１は、前方側（第１調光部材２１側、Ｚ２側）から順に、第２位相差層３４（第２位相差フィルム３４Ａ）、第２偏光層３３（第２直線偏光板３３Ａ）、第２透明基材３２が積層されている。
第２位相差層３４、第２透明基材３２は、それぞれ、第１位相差層２４、第１透明基材２２と同様の構成である。
【００２９】
第２偏光層３３は、第１偏光層２３と同様の部材であるが、光の進行方向から見て、第２偏光層３３の透過軸は、第１偏光層２３の透過軸と直交するように設けられている点が異なる。すなわち、第１偏光層２３、第２偏光層３３は、互いにクロスニコルの関係となるように配置されている。なお、所望する透光部１５の調光機能に応じて（透明と黄色や紫色等の所望の有彩色とを切り替える場合等）上記クロスニコル配置に限らず、第１偏光層２３及び第２偏光層３３は、その透過軸が平行となるように配置されてもよい。
【００３０】
なお、本実施形態では、第１調光部材２１は、第１透明基材２２を備える形態を示したが、これに限らず、第１偏光層２３及び第１位相差層２４を備える積層体が十分な剛性を有する場合や、第１レンズ１３１に貼合する場合等には、第１透明基材２２を備えない形態としてもよい。
同様に、第２調光部材３１は、第２偏光層３３及び第２位相差層３４を備える積層体が十分な剛性を有する場合や、第２レンズ１３２に貼合する場合等には、第２透明基材３２を備えない形態としてもよい。
また、第１透明基材２２、第２透明基材３２のいずれか一方のみが設けられる形態としてもよい。
【００３１】
図４は、第１位相差層２４、第２位相差層３４の調光領域Ａ、領域Ｂを説明する図である。図４（ａ）は、調光領域Ａを示し、図４（ｂ）は、調光領域Ａを構成する領域Ｂを示している。なお、図４（ｂ）においては、領域Ｂに示す線分により、その領域Ｂにおける遅相軸の向きを示している。
図４に示すように、第１位相差層２４、第２位相差層３４は、上下方向（Ｙ方向）を長手方向とし、左右方向（Ｘ方向、第２調光部材３１のスライド方向）を配列方向として、複数の調光領域Ａが配列されている。
この調光領域Ａは、多数種類の領域Ｂを備えている。領域Ｂは、長手方向を上下方向（Ｙ方向）とし、配列方向を左右方向（Ｘ方向、第２調光部材３１のスライド方向）として配列されている。第１調光部材２１及び第２調光部材３１において、調光領域Ａの幅Ｗａは等しく、領域Ｂの幅Ｗｂ及び１つの調光領域Ａに設けられる領域Ｂの数も等しい。
領域Ｂの幅Ｗｂは、調光領域Ａにおける領域Ｂの数にも依るが、可能な限り小さいことが、着用者がゴーグル１を通して視認する景色の色調の均一性を向上でき、調光領域Ａ等が筋状に視認されにくくなるという観点から好ましい。
【００３２】
本実施形態では、調光領域Ａは、複数の領域Ｂを有し、複数の領域Ｂにおける遅相軸は、左右方向（Ｘ方向、第２調光部材３１のスライド方向）に沿って、所定の角度ずつ変化している。すなわち、１つの調光領域Ａにおける領域Ｂの遅相軸は、第２調光部材３１のスライド方向（Ｘ方向）に沿って、多階調的に変化しており、領域Ｂの遅相軸の変化の周期の１周期分が、１つの調光領域Ａに相当している。このような第１位相差層２４及び第２位相差層３４は、例えば、階調型の位相差層と呼ばれる。
また、本実施形態のように調光領域Ａが多階調である場合には、第１位相差層２４及び第２位相差層３４の位相差は、λ／２であることが好ましい。
【００３３】
以下、ゴーグル１における調光方法について説明する。
本実施形態では、第１位相差層２４が、例えば、λ／２板で構成され、光の偏光状態を制御可能となっている階調型の例について記載する。この場合、可視光領域の或る波長におけるリタデーションがλ／２となるように構成されており、例えば、第１位相差層２４の波長５５０ｎｍにおけるリタデーションがλ／２となるように位相差が設定されていてもよい。第２位相差層３４は、例えば、第１位相差層２４と同様に構成される。
【００３４】
図５は、暗状態、明状態におけるゴーグル１における光の透過状態を示す図である。図５（ａ）は、暗状態を示し、図５（ｂ）は、明状態を示し、図５（ｃ）は、中間状態の一例を示している。
なお、以下の説明及び図５では、一例として、第１偏光層２３の透過軸方向と第１位相差層２４及び第２位相差層３４の遅相軸のなす角度が０°以上１８０°未満の範囲で段階的に変化している形態を示している。この図５において、領域Ｂの遅相軸の角度変化のステップ（変化量）は一定であるとしているが、一定でなくともよい。また、隣り合う領域Ｂ間での遅相軸の角度の変化量も、図５に示す変化量に限定されない。さらに、以下の説明及び図５において、第１位相差層２４及び第２位相差層３４の遅相軸が第１偏光層２３の透過軸となす角度は、例示的に示したものであり、これに限定されるものではない。
また、図５において示す矢印Ｔ１，Ｔ２は、それぞれ、第１偏光層２３，第２偏光層３３の透過軸の方向を示している。また、図５において、第１位相差層２４及び第２位相差層３４内に示す矢印は、領域Ｂの遅相軸の方向を示している。また、図５において、第１偏光層２３と第１位相差層２４の間、第１位相差層２４と第２位相差層３４との間、第２位相差層３４と第２偏光層３３との間、第２偏光層３３のＺ１側にそれぞれ示される矢印は、その位置における光の振動方向を示している。
【００３５】
本実施形態のゴーグル１では、第２調光部材３１をスライドさせて、第１位相差層２４と第２位相差層３４との相対位置を変化させることにより、第１位相差層２４の調光領域Ａと、これに対応する第２位相差層３４の調光領域Ａとの重なる位置（Ｚ方向において対応する領域Ｂ）が変化する。これにより、着用者は、ゴーグル１に入射してきた光の透過率を徐々に変化させることが可能となる。
【００３６】
まず、図５（ａ）に示す暗状態について説明する。
図５（ａ）では、第１位相差層２４の調光領域Ａにおいて、遅相軸の角度が０°、２２．５°、４５°、・・・である領域Ｂが、それぞれ、第２位相差層３４の調光領域Ａにおいて遅相軸の角度が９０°、１１２．５°、１３５°、・・・である領域Ｂと対向している状態となっている。
ゴーグル１のレンズ部１３に、第１調光部材２１側から光が入射する。第１透明基材２２を透過した光は、第１偏光層２３により、その透過軸に平行な方向を光の振動方向とする直線偏光となる。
第１偏光層２３を透過した偏光成分の光の振動方向は、第１位相差層２４の各領域Ｂを透過することによって、それぞれ０°、４５°、９０°・・・と回転する。
【００３７】
そして、振動方向が０°の光が第２位相差層３４の遅相軸９０°の領域Ｂを通過すると、入射光の偏光軸と遅相軸のなす角度の２倍分、偏光角が回転する。ここでは、偏光角は、入射光と遅相軸のなす角度の２倍分となる１８０°回転し、振動方向は１８０°となる。
また、振動方向が４５°の光が第２位相差層３４の遅相軸１１２．５°の領域Ｂを通過すると、入射光の偏光角と遅相軸の関係より１３５°回転し、その振動方向は１８０°となる。
さらに、振動方向が９０°の光が第２位相差層３４の遅相軸１３５°の領域Ｂを通過すると、入射光の偏光角と遅相軸の関係より９０°回転し、その振動方向も１８０°と変化する。
【００３８】
このように、第２位相差層３４を透過した光は、その偏光方向が全て０°又は１８０°となり、第２偏光層３３の透過軸の方向と直交するため、第２偏光層３３によって遮断される。
したがって、図５（ａ）に示す第１調光部材２１と第２調光部材３１との位置関係においては、ゴーグル１（レンズ部１３）の透過光量が最小となる暗状態となる。この状態では、外部の観察者から見て、レンズ部１３は、黒色に観察される。
【００３９】
次に、図５（ｂ）に示す明状態について説明する。
着用者が第２調光部材３１を左右方向にスライドさせ、第１調光部材２１と第２調光部材３１との相対位置が図５（ｂ）に示す状態となったとする。本実施形態では、暗状態から明状態までの第２調光部材３１のスライド量は、調光領域Ａの幅Ｗａの１／４（領域Ｂの多階調変化の１／４周期分）に相当する。
図５（ｂ）では、例えば、第１位相差層２４の調光領域Ａにおいて、遅相軸の角度が０°、２２．５°、４５°、６７．５°、９０°・・・である領域Ｂが、それぞれ、第２位相差層３４の調光領域Ａにおいて、遅相軸が４５°、６７．５°、９０°、１１２．５°、１３５°、・・・である領域Ｂと対向している状態となっている。
【００４０】
前述のように、ゴーグル１のレンズ部１３に第１調光部材２１側から入射した光は、第１偏光層２３により、その透過軸に平行な方向を振動方向とする直線偏光となる。
第１偏光層２３を透過した偏光成分の光の振動方向は、第１位相差層２４の各領域Ｂを透過することによって、それぞれ０°、４５°、９０°、１３５°、１８０°、・・・と回転する。
そして、振動方向が０°の光が第２位相差層３４の遅相軸４５°の領域Ｂを通過すると、入射偏光角と遅相軸の関係より９０°回転し、その振動方向は９０°となる。振動方向が４５°の光が第２位相差層３４の遅相軸６７．５°の領域Ｂを通過すると、その振動方向が９０°となる。振動方向が９０°の光が第２位相差層３４の遅相軸９０°の領域Ｂを通過すると、その振動方向が９０°となる。また、振動方向が１３５°の光が第２位相差層３４の遅相軸１１２．５°の領域Ｂを通過すると、その振動方向が９０°となる。振動方向が１８０°の光が第２位相差層３４の遅相軸１３５°の領域Ｂを通過すると、その振動方向が９０°となる。
【００４１】
このように、第２位相差層３４を透過した光は、その偏光方向が全て９０°又は２７０°となり、第２偏光層３３の偏光方向と平行となるので、第２偏光層３３をそのまま透過する。
したがって、図５（ｂ）に示す第１調光部材２１と第２調光部材３１との位置関係においては、ゴーグル１（レンズ部１３）の透過光量が最大となる明状態となる。
【００４２】
次に、暗状態と明状態の中間状態について説明する。
着用者が第２調光部材３１を左右方向にスライドさせ、第１調光部材２１と第２調光部材３１との相対位置が、図５（ａ），（ｂ）の間の位置になるように配置された場合、暗状態と明状態の間の透明状態になる。このとき、眼鏡１（透光部１５）を透過する光の透過光量は、明状態と暗状態との中間値を取り、中間状態となる。
【００４３】
上述のように、本実施形態のゴーグル１では、第１調光部材２１、第２調光部材３１の各変調領域の重なり合いを、第２調光部材３１を左右方向（Ｘ方向）へスライドさせて変化させることにより、レンズ部１３の透過光量（着用者の目に入射する光量）を変化させることができる。
本実施形態では、明状態から暗状態への第２調光部材３１（凸部１３３）のスライド量（移動量）Ｄは、調光領域Ａの幅Ｗａの１／４である。このスライド量Ｄは、１つの調光領域Ａにおける領域Ｂの数や幅Ｗｂにより任意に調整可能である。本実施形態では、着用者は、凸部１３３を１５ｍｍ程度のわずかな量だけスライドさせることにより、容易に明状態から暗状態へ光量を変化させることができる。
【００４４】
本実施形態によれば、第１調光部材２１及び第２調光部材３１において、順次段階的に、また循環的に領域Ｂの遅相軸の方向が変化しているため、第２調光部材３１のスライド量Ｄに応じて、連続的にゴーグル１のレンズ部１３における透過光量（着用者の目に入射する光量）を容易に、かつ簡単な構成で変化させることができる。
また、本実施形態によれば、ゴーグル１は、第２調光部材３１をスライドさせることにより、ゴーグル１（レンズ部１３）の透過光量の調節を行うことができ、しかも、暗状態、明状態だけでなく、連続的に所望の明るさに変化させることができ、容易に所望の明るさ（光量）とすることができる。また、これにより、着用者がゴーグル１を着用したまま暗い屋内に入った場合等にも、容易に光量を調整でき、ゴーグル１を外す必要がない。さらに、１つのゴーグル１で、様々な所望の明るさ（光量）とできるので、複数個のゴーグルを所持する必要がない。
【００４５】
（第２実施形態）
図６は、第２実施形態のゴーグル２を説明する図である。図６では、ゴーグル２の上下方向及び前後方向に平行な断面を模式的に示している。
第２実施形態に示すゴーグル２は、汎用のゴーグル（ゴーグル本体１００）に、調光可能な調光部２００が着脱可能に設けられた形態である。この第２実施形態を含め、以下に示す第３、第４実施形態において、第１実施形態と同様の機能を果たす部分には、同一の符号を付して、重複する説明を適宜省略する。
【００４６】
第２実施形態のゴーグル２は、調光機能を有しないゴーグルであるゴーグル本体１００と、このゴーグル本体１００に着脱可能に設けられた調光部２００とを備えている。
調光部２００は、前述の第１実施形態のゴーグル１のフレーム１１及びレンズ部１３と、フレーム１１の後方側に設けられ、この調光部２００をゴーグル本体１００に着脱可能とする取付部２１０とを備えている。
本実施形態の取付部２１０は、図６に示すように、ゴーグル本体１００のレンズ部１３０を保持するフレーム１１０に嵌合可能となるように後方（Ｚ１側）延びている。
なお、取付部２１０の形態は、これに限定されるものではなく、例えば、フレーム１１０に係合可能な複数の爪部を設ける形態等、適宜採用してよい。
【００４７】
本実施形態では、調光部２００は、前述の第１実施形態のフレーム１１及びレンズ部１３に相当する例を挙げて説明したが、さらに不図示のバンド等を備え、ゴーグル本体１００より一回り大きい形態とし、ゴーグル本体１００を着用した上から調光部２００を着用可能な形態としてもよい。
【００４８】
図６に示すように、調光部２００のレンズ部１３には、前方側（Ｚ２側）から順に、第１レンズ１３１、第１調光部材２１、第２調光部材３１、第２レンズ１３２が配置され、第１実施形態と同様に、凸部１３３を操作して、第２調光部材３１及び第２レンズ１３２を左右方向（Ｘ方向）へスライドさせることにより、着用者の目に入射する光量（レンズ部１３を透過する光量）を調整可能である。
本実施形態によれば、第１実施形態に示した効果に加え、着用者が従来使用しているゴーグルをゴーグル本体１００として使用でき、使用環境等に応じて、そのゴーグル本体１００に調光機能を適宜付与することができる。
【００４９】
（第３実施形態）
図７は、第３実施形態のゴーグル３を説明する図である。図７では、理解を容易にするために、フレーム１１及びレンズ部１３のみを示している。図７（ａ）は、第３実施形態のゴーグル３のフレーム１１及びレンズ部１３の斜視図であり、図７（ｂ）は、ゴーグル３のフレーム１１及びレンズ部１３の上下方向（Ｙ方向）及び前後方向（Ｚ方向）に平行な断面図である。
第３実施形態のゴーグル３は、第２調光部材３１が第２レンズ１３２に接合されておらず、第２調光部材３１がフレーム１１に着脱可能である点が、前述の第１実施形態とは異なる以外は、第１実施形態のゴーグル１と同様の形態である。
本実施形態のフレーム１１には、溝１１ｂの上側（Ｙ１側）に、第２調光部材３１を挿入可能な開口部１７が設けられている。また、フレーム１１の上側には、この開口部１７を被覆し、ゴミや埃等の異物や雨水等の侵入を防ぐ蓋部１８が設けられている。蓋部１８には、第２調光部材３１に設けられたスライド操作用の凸部３６（前述の凸部１３３に相当）に対応する部分にスライド孔１６が設けられている。
【００５０】
本実施形態によれば、第１実施形態に示した効果に加えて、必要な状況に応じて調光機能を備えるゴーグル３と、調光機能を有しないゴーグルとを容易に切り替えることができる。
なお、上記第３実施形態では、第２調光部材３１がフレーム１１に着脱可能である形態を示したが、これに限らず、第２調光部材３１が第２レンズ１３２に接合され、第２調光部材３１及び第２レンズ１３２が一体となってフレーム１１に着脱可能である形態としてもよい。また、第１調光部材２１がフレーム１１から着脱可能である形態としてもよい。また、第１調光部材２１及び第２調光部材３１の双方がフレーム１１に対して着脱可能である形態としてもよい。また、第１調光部材２１が左右方向（Ｘ方向）にスライド可能な形態とし、フレーム１１に対して着脱可能な第２調光部材３１は、フレーム１１に挿入した状態で固定される形態としてもよい。
【００５１】
また、前述の第２実施形態においても、上述の第３実施形態に示すように、調光部２００から、第２調光部材３１又は第１調光部材２１の少なくとも一方が着脱可能である形態としてもよい。
【００５２】
（第４実施形態）
図８は、第４実施形態のゴーグル４を説明する図である。図８では、理解を容易にするためにフレーム１１等は省略し、レンズ部１３における前後方向（Ｚ方向）の層構成のみを示している。
第４実施形態では、ゴーグル４は、第１レンズ１３１のみを備え、第１レンズ１３１の後方側（Ｚ１側）に、第１調光部材２１を粘着剤又は接着剤で形成された貼合層４０１で貼合して固定し、第１調光部材２１の後方側（Ｚ１側）に密着層４０２を設けて、第１調光部材２１に対して第２調光部材３１を左右方向（Ｘ方向）に相対的にスライド可能に積層している。この貼合層４０１から第２調光部材３１までを調光ユニット４２０とする。
本実施形態では、例えば、第２調光部材３１は、スライド操作用の凸部１３３等を備えず、着用者は、例えば、ゴーグル４の内側から指等で第２調光部材３１を左右方向にスライドさせ、光量を調整する。
密着層４０２は、例えば、液状の潤滑剤、貼り剥がし可能な微粘着のシリコーン系粘着剤、アクリル系粘着剤等を用いることができる。
【００５３】
本実施形態によれば、第１実施形態に示した効果に加え、安価でかつ軽量な調光機能を既存のゴーグルに付与することができる。また、使用環境や着用者の気分に応じて、調光機能を簡便に付け替えることができる。
【００５４】
なお、第４実施形態は、上記の例に限らず、例えば、第１レンズ１３１の前方側（Ｚ２側）に、第１調光部材２１を粘着剤又は接着剤で形成された貼合層４０１で貼合して固定し、その前方側にさらに密着層４０２を設けて第２調光部材３１を左右方向（Ｘ方向）にスライド可能に積層している形態としてもよい。このとき、最も前方側に位置する第２調光部材３１の前方側の面には、ハードコート機能や紫外線を吸収又は反射する紫外線遮蔽機能、防水機能、撥水機能、防汚機能等の少なくとも１つの機能を備える不図示の保護層を設けてもよい。
【００５５】
（変形形態）
以上説明した各実施形態に限定されることなく、種々の変形や変更が可能であって、それらも本発明の範囲内である。
【００５６】
（１）各実施形態において、第２調光部材３１をスライドさせて光量を調整する例を示したが、これに限らず、第１調光部材２１をスライド可能な形態とし、第１調光部材２１をスライドさせて光量を調整する形態としてもよい。
また、各実施形態において、第２調光部材３１のスライド方向（Ｘ方向）は、左右方向（Ｘ方向）である例を示したが、これに限らず、上下方向（Ｙ方向）をスライド方向とする形態としてもよい。この場合、各位相差層の調光領域Ａ及び領域Ｂは、左右方向を長手方向とし、上下方向に配列される形態となる。
【００５７】
（２）各実施形態において、調光領域Ａは、多階調に変化する領域Ｂを備える例を示したがこれに限らず、遅相軸が異なる２つの領域Ｂによって調光領域Ａが構成され、第１位相差層２４及び第２位相差層３４が透過光に対して付与する位相差がλ／４である形態としてもよい。
このような形態とするとき、例えば、調光領域Ａを構成する２つの領域Ｂは、第２偏光層３３の透過軸に対して、時計方向及び反時計方向にそれぞれ４５°をなす遅相軸を備える形態とすることができる。そして、第２調光部材３１をスライドさせて第１調光部材との相対位置を変化させて、明状態と暗状態とを切り替えることができる。このとき、第１位相差層２４の領域Ｂの遅相軸とこれに対応する第２位相差層３４の領域Ｂの遅相軸とが一致している場合には、ゴーグル１のレンズ部１３を明状態とすることができ、第１位相差層２４の領域Ｂの遅相軸とこれに対応する第２位相差層３４の領域Ｂの遅相軸とが逆光軸の関係となる場合には、レンズ部１３を暗状態とすることができる。
【００５８】
（３）各実施形態において、暗状態では、外部の観察者からは、レンズ部１３が黒く観察される例を示したが、これに限らず、各位相差層の液晶材料の反射する波長域等を調整する等して、黄色や紫色等、所望の色で観察される形態としてもよい。
また、図３に記載の第１偏光層２３、第２偏光層３３の透過軸を揃えて配置することでも色味を変更することが可能である。
【００５９】
（４）各実施形態において、第２調光部材３１は、第２レンズ１３２と同じ形状である例を示したが、これに限らず、例えば、レンズ部１３の上側（Ｙ１側）半分の領域のみに設けられる形態としてもよい。この場合、第２調光部材３１のスライド方向は、左右方向（Ｘ方向）としてもよいが、上下方向（Ｙ方向）とする方が、明状態から暗状態への変化時のレンズ部１３の色味の見えが自然となり、外観が良好となるので好ましい。
【００６０】
（５）各実施形態において、各調光部材における調光領域Ａが備える領域Ｂの数は、例えば、２段階や、３段階等としてもよいし、適宜選択してよい。また、各実施形態において、各位相差層ではなく各偏光層の透過軸を２段階や３段階、それ以上の数の段階としてパターンニングしてもよい。
【００６１】
（６）第１〜第３実施形態において、レンズ部１３は第１レンズ１３１及び第２レンズ１３２を備える例を示したが、これに限らず、例えば、第１レンズ１３１のみを備える形態としてもよい。
また、第１レンズ１３１及び第２レンズ１３２の少なくとも一方が、着用者の視力を矯正する機能を有していてもよい。
【００６２】
（７）各実施形態において、レンズ部１３は、左右の眼にそれぞれ対応するように２つ設けられ、それぞれがフレームによって保持され、各フレームが連結部材等によって連結される形態としてもよい。
【００６３】
（８）各実施形態において、レンズ部１３は平面状である例を示したが、これに限らず、その左右方向中央部が前方側に凸となる曲面状等としてもよい。
【００６４】
なお、上述の各実施形態及び変形形態は、適宜組み合わせて用いることもできるが、詳細な説明は省略する。また、本発明は、以上説明した各実施形態によって限定されることはない。
【符号の説明】
【００６５】
１，２，３，４    ゴーグル
１１    フレーム
１３    レンズ部
１３３，３６    凸部
２１    第１調光部材
２２    第１透明基材
２３    第１偏光層
２４    第１位相差層
３１    第２調光部材
３２    第２透明基材
３３    第２偏光層
３４    第２位相差層
Ａ    調光領域
Ｂ    領域
【図１】
2019133035.tif 000003
【図２】
2019133035.tif 000004
【図３】
2019133035.tif 000005
【図４】
2019133035.tif 000006
【図５】
2019133035.tif 000007
【図６】
2019133035.tif 000008
【図７】
2019133035.tif 000009
【図８】
2019133035.tif 000010